(57)【要約】【課題】  スライドレールを異なるポストに容易に適合させ素早く取り付けることができるブラケット取り付け構造を提供する。【解決手段】  ブラケット取り付け構造は、ブラケットと、ベースと、接続部材と、弾性部材と、取り付け部材とを含む。ブラケットは長手壁を含む。ベースは長手壁に隣接して配置されるとともに第１の空間及び第２の空間を含む。接続部材は第１の空間内に取り付けられるとともに、第１の部分と、第２の部分と、該第１の部分及び該第２の部分に配置される貫通孔とを含む。第１の部分及び第２の部分の少なくとも一方はネジ部を含む。弾性部材は第１の空間内に受容されるとともに接続部材に弾性力を加えるように構成されている。取り付け部材は第２の空間に取り付けられる。【選択図】  図３
2020093073.tif 000002
【特許請求の範囲】
【請求項１】
スライドレールと共に用いるブラケット取り付け構造であって、当該ブラケット取り付け構造は、
長手壁と、該長手壁に対して屈曲された端壁とを含むブラケットと、
前記端壁に配置されるとともに第１の空間及び第２の空間を含むベースと、
前記第１の空間内に取り付けられるとともに、第１の部分と、第２の部分と、該第１の部分及び該第２の部分に亘って延びる貫通孔とを含む接続部材であって、該第１の部分及び該第２の部分の少なくとも一方は該貫通孔内にネジ部を含む、接続部材と、
前記第１の空間内に受容されるとともに前記接続部材に弾性力を加えるように構成された第１の弾性部材と、
前記第２の空間に取り付けられる取り付け部材と、
を含む、ブラケット取り付け構造。
【請求項２】
前記接続部材は、ポストの第１の位置に取り付けられるように位置し、前記取り付け部材は前記ポストの第２の位置に挿入されるように構成されている、請求項１に記載のブラケット取り付け構造。
【請求項３】
前記ポストは第１のポストであり、前記第１のポストの第１の位置には前記接続部材に対応する第１の取り付け孔が設けられ、前記第１のポストの第２の位置には前記取り付け部材に対応する第２の取り付け孔が設けられ、第１のネジ要素は前記第１の取り付け孔を通り前記接続部材のネジ部とネジ接続して前記ブラケットを前記第１のポストにロックすることができる、請求項２に記載のブラケット取り付け構造。
【請求項４】
前記ポストは第２のポストであり、前記第２のポストの第１の位置には前記接続部材に対応する第１の取り付け孔が設けられ、前記第２のポストの第２の位置には前記取り付け部材に対応する第２の取り付け孔が設けられ、前記ベースは補助ネジ部を含み、第２のネジ要素は前記第１の取り付け孔を通り前記接続部材のネジ部及び前記ベースの補助ネジ部の少なくとも一方とネジ接続して前記ブラケットを前記第２のポストにロックすることができる、請求項２に記載のブラケット取り付け構造。
【請求項５】
前記ブラケットに可動に取り付けられる締結部材をさらに含み、該締結部材が所定の位置にある場合、該締結部材の締結部は前記取り付け部材に隣接する、請求項１に記載のブラケット取り付け構造。
【請求項６】
前記第２の部分は前記第１の部分に接続されるとともに前記第１の部分よりもサイズが大きく、前記第１の部分及び前記第２の部分は柱状であり、前記第２の部分は非円形の輪郭を有する、請求項１に記載のブラケット取り付け構造。
【請求項７】
前記端壁は前記長手壁に実質的に垂直に接続されている、請求項１に記載のブラケット取り付け構造。
【請求項８】
前記取り付け部材は第１の取り付け部と、該第１の取り付け部に引っ込め可能に接続される第２の取り付け部とを含み、該第２の取り付け部は該第１の取り付け部よりもサイズが大きい、請求項１に記載のブラケット取り付け構造。
【請求項９】
前記第１の取り付け孔は、前記接続部材の第１の部分が前記第１の取り付け孔に挿入できるように前記接続部材の第１の部分よりも大きい第１の直径を有するか又は前記第１の取り付け孔は、前記接続部材の第１の部分を前記第１の取り付け孔を取り囲む前記第１のポストの壁部に押し付け、前記接続部材の全体を前記第１の空間内に引っ込めることができるように前記接続部材の第１の部分よりも小さい第２の直径を有する、請求項３に記載のブラケット取り付け構造。
【請求項１０】
前記第１の取り付け孔は、前記接続部材の第１の部分が前記第１の取り付け孔に挿入できるように前記接続部材の第１の部分よりも大きい第１の直径を有するか又は前記第１の取り付け孔は、前記接続部材の第１の部分を前記第１の取り付け孔を取り囲む前記第２のポストの壁部に押し付け、前記接続部材の全体を前記第１の空間内に引っ込めることができるように前記接続部材の第１の部分よりも小さい第２の直径を有する、請求項４に記載のブラケット取り付け構造。
【発明の詳細な説明】
【技術分野】
【０００１】
本発明はブラケット取り付け構造に関し、より具体的にはスライドレールと共に用いるブラケット取り付け構造に関する。
【背景技術】
【０００２】
ブラケット取り付け構造は、スライドレールアセンブリをラックのポストに取り付けるためにラックシステムにおいて一般的に用いられる。例えば、特許文献１には、スライドレールのためのリトラクタブルなフローティングナットが開示されている。特許文献１の図１〜図３によれば、ナットはフロントガイドポスト（４）、多角形パッド（５）、バネ座（６）及びリアガイドポスト（７）を含む。フロントガイドポスト（４）は雌ネジ（３）を有する。多角形パッド（５）はフロントガイドポスト（４）の後ろに設けられ、バネ座（６）は多角形パッド（５）の後ろに設けられ、リアガイドポスト（７）はバネ座（６）の後ろに設けられる。
【先行技術文献】
【特許文献】
【０００３】
【特許文献１】中国実用新案特許第２０４７５８２８号明細書
【特許文献２】米国特許第７３５７３６２号明細書
【特許文献３】米国特許第８７２７１３８号明細書
【発明の概要】
【発明が解決しようとする課題】
【０００４】
バネ座（６）及びリアガイドポスト（７）が多角形パッド（５）の後ろにあることにより、特定の用途おいて上記のナットの構造構成はあまりにも複雑であり、特定の長さのネジ要素が雌ネジ（３）を通って多角形パッド（５）の後ろ側に延びるのが困難となり得る。したがって、異なるブラケット製品の開発は、研究の価値がる課題である。
【０００５】
本発明は、スライドレールと共に用いるブラケット取り付け構造であって、スライドレールを規格の異なるポストに容易に適合させてスライドレールを素早く取り付け定位置で固定できるようにするブラケット取り付け構造に関する。
【０００６】
本発明の一態様によれば、スライドレールと共に用いるブラケット取り付け構造は、ブラケットと、ベースと、接続部材と、第１の弾性部材と、取り付け部材とを含む。ブラケットは長手壁を含む。ベースは長手壁に隣接して配置されるとともに第１の空間及び第２の空間を含む。接続部材は第１の空間内に取り付けられるとともに、ネジ部を含む。第１の弾性部材は第１の空間内に受容されるとともに接続部材に弾性力を加えるように構成されている。取り付け部材は第２の空間に取り付けられる。
【０００７】
接続部材は第１の部分と、第２の部分と、該第１の部分及び該第２の部分に亘って延びる貫通孔とを含むことが好ましい。
【０００８】
第１の部分及び第２の部分の少なくとも一方は貫通孔内にネジ部を含むことが好ましい。
【０００９】
第２の部分は第１の部分に接続されるとともに第１の部分よりもサイズが大きいことが好ましい。
【００１０】
第２の部分は非円形の輪郭を有することが好ましい。
【００１１】
第１の部分及び第２の部分は柱状であることが好ましい。
【００１２】
ベースは補助ネジ部を含み、ネジ部及び補助ネジ部はネジ要素と接続するように構成されていることが好ましい。
【００１３】
ブラケット取り付け構造はポストと共に用いられることも好ましい。より具体的には、接続部材は、ポストの第１の位置に取り付けられるように位置し、取り付け部材はポストの第２の位置に挿入されるように構成されている。
【００１４】
ポストは第１の位置に第１の取り付け孔を有し、第２の位置に第２の取り付け孔を有する第１のポストであることが好ましい。第１のネジ要素は第１の取り付け孔を通り接続部材のネジ部とネジ接続してブラケットを第１のポストにロックすることができる。
【００１５】
ポストは第１の位置に第１の取り付け孔を有し、第２の位置に第２の取り付け孔を有する第２のポストであることが好ましい。第２のネジ要素は第１の取り付け孔を通り接続部材のネジ部及びベースの補助ネジ部の少なくとも一方とネジ接続してブラケットを第２のポストにロックすることができる。
【００１６】
第１の取り付け孔は、接続部材の第１の部分が第１の取り付け孔に挿入できるように接続部材の第１の部分よりも大きい第１の直径を有するか又は接続部材の第１の部分を第１の取り付け孔を取り囲む第２のポストの壁部に押し付け、接続部材の全体を第１の空間内に引っ込めることができるように接続部材の第１の部分よりも小さい第２の直径を有することが好ましい。
【００１７】
ブラケットは長手壁に対して屈曲された端壁を含み、ベースは端壁に配置されることが好ましい。
【００１８】
端壁は長手壁に実質的に垂直に接続されていることが好ましい。
【００１９】
接続部材は、第１の弾性部材により放たれる弾性力に反応して端壁の第１の孔を通って端壁を貫通することが好ましい。
【００２０】
取り付け部材は第１の取り付け部と、該第１の取り付け部に引っ込め可能に接続される第２の取り付け部とを含み、該第２の取り付け部は該第１の取り付け部よりもサイズが大きいことが好ましい。
【００２１】
第１の部分及び第２の部分は、端壁の第２の孔を通って端壁を貫通することが好ましい。
【００２２】
ブラケット取り付け構造は、ブラケットに可動に取り付けられる締結部材をさらに含むことが好ましい。締結部材が所定の位置にある場合、該締結部材の締結部は取り付け部材に隣接する。
【図面の簡単な説明】
【００２３】
【図１】図１は、本発明の一実施形態に係るスライドレールアセンブリの斜視図である。
【図２】図２は、本発明の一実施形態に係るスライドレールアセンブリの分解図である。
【図３】図３は、本発明の一実施形態に係るブラケット装置の概略図である。
【図４】図４は、本発明の一実施形態に係るブラケット装置がどのようにスライドレールアセンブリをポストに取り付けるかを示す斜視図である。
【図５】図５は、本発明の一実施形態に係るブラケット装置が第１のポストに適合され、第１のネジ要素がブラケット装置を第１のポストにまだロックしていない状態を示す概略図である。
【図６】図６は、本発明の一実施形態に係るブラケット装置が第１のポストに適合され、第１のネジ要素がブラケット装置を第１のポストにロックした状態を示す概略図である。
【図７】図７は、本発明の一実施形態に係るブラケット装置が第２のポストに適合され、第２のネジ要素がブラケット装置を第２のポストにまだロックしていない状態を示す概略図である。
【図８】図８は、本発明の一実施形態に係るブラケット装置が第２のポストに適合され、第２のネジ要素がブラケット装置を第２のポストにロックした状態を示す概略図である。
【発明を実施するための形態】
【００２４】
図１及び図２を参照して、本発明の一実施形態に係るスライドレールアセンブリ２０は第１のブラケット装置２２（以下略してブラケット装置２２という）及び第２のブラケット装置２４を含む。ブラケット装置２２はスライドレールアセンブリ２０のスライドレール２０ａの前部に隣接して配置される。ここでは、ブラケット装置２２は、限定されないが例えば接続要素２６を通じてスライドレール２０ａの前部に連結されている。他方、第２のブラケット装置２４は、スライドレール２０ａの一方側で支持フレーム２５を通じて支持ベース２７に可動に取り付けられ、スライドレール２０ａに対してスライドレール２０ａの後部に隣接する位置に変位できる。
【００２５】
ブラケット装置２２は、ブラケット２８、ベース３０、接続部材３２、第１の弾性部材３４を含み、取り付け部材３６も含むことが好ましい。
【００２６】
ブラケット２８は長手壁３８を含み、長手壁３８に対して屈曲された端壁４０も含むことが好ましい。ここでは、端壁４０は一例として長手壁３８に実質的に垂直に接続されている。端壁４０は第１の孔４０Ａ及び第２の孔４０ｂを有することが好ましい。ブラケット装置２２は、シャフト４３を通じて長手壁３８のラグ３８ａに枢結される締結部材４２をさらに含むことが好ましい。第２の孔４０ｂが２つあり、双方第１の孔４０Ａに隣接して設けられ、一方が第１の孔４０ａの上に位置し、他方が第１の孔４０ａの下に位置することが好ましい。
【００２７】
図３に示すように、ベース３０は長手壁３８に隣接して配置される。例えば、ベース３０は長手壁３８の側部に接続され得るか、本実施形態のように端壁４０に配置され得る。ベース３０は第１の空間Ｓ１を含み、第２の空間Ｓ２も含むことが好ましい。
【００２８】
図３の接続部材３２は第１の空間Ｓ１に取り付けられ、端壁４０の第１の孔４０Ａから突出する部分を有する。接続部材３２はネジ部４４を含む。例えば、接続部材３２は円柱状のネジベースである。より具体的には、接続部材３２は第１の部分３２Ａと、第２の部分３２ｂと、第１の部分３２ａ及び第２の部分３２ｂに延びる貫通孔３２ｃを含む。第１の部分３２Ａ及び第２の部分３２ｂの少なくとも一方はネジ部４４を含む。ここでは、一例として第１の部分３２Ａ及び第２の部分３２ｂのそれぞれがネジ部４４を含む。第１の部分３２Ａ及び第２の部分３２ｂのそれぞれのネジ部４４は貫通孔３２ｃ内に、例えば貫通孔３２ｃの壁部にあることが好ましい。第２の部分３２ｂは第１の部分３２ａに接続されるとともに第１の空間Ｓ１内にあり、第１の部分３２ａよりもサイズが大きいことが好ましい。第２の部分３２ｂは、接続部材３２がベース３０に対して回転するのを防止するためにベース３０の内壁Ｗに合致する非円形の輪郭（例えば、限定されないが矩形の輪郭）を有することが好ましい。
【００２９】
第１の弾性部材３４は第１の空間Ｓ１内に受容され、接続部材３２の一部が第１の空間から突出した状態で維持されるように接続部材３２に弾性力を加えるように構成されている。第１の弾性部材３４は、第１の部分３２ａが第１の空間Ｓ１及び端壁４０の第１の孔４０ａから突出するように接続部材３２の第２の部分３２ｂに押し付けられている。即ち、第１の弾性部材３４の弾性力は接続部材３２が第１の孔４０ａを通って、故に端壁４０を通って押圧する役割を果たす。
【００３０】
ベース３０は補助ネジ部４６を含むことが好ましい。ベース３０は第１の空間Ｓ１に接続構造４７が設けられることが好ましく、接続構造４７は孔４７ａを含み、補助ネジ部４６は一例として孔４７ａの壁部に設けられる。接続構造４７の孔４７ａ及び接続部材３２の貫通孔３２ｃは概ね同じ長手軸上に位置する。第１の弾性部材３４は接続構造４７に取り付けられる。
【００３１】
取り付け部材３６は第２の空間Ｓ２内に取り付けされ、端壁４０の第２の孔４０ｂから突出する部分を有する。取り付け部材３６は第１の取り付け部３６ａと、第１の取り付け部３６Ａに引っ込め可能に接続される第２の取り付け部３６ｂを含む。第２の取り付け部３６ｂは第１の取り付け部３６ａよりもサイズが大きい。第１の取り付け部３６Ａはベース３０に接続され（例えば一体形成され）、第２の取り付け部３６ｂから突出する部分を有することが好ましい。第２の弾性部材４８は第２の空間Ｓ２内に受容され、第２の取り付け部３６ｂの一部が第２の空間Ｓ２から突出した状態で維持できるように第２の取り付け部３６ｂに弾性力を加える。
【００３２】
図４を参照して、ブラケット装置２２はスライドレールアセンブリ２０をポストに取り付けることができる。ここでは、一例として第１のポスト５０に言及する。第１のポスト５０は垂直に配置された第１の位置及び第２の位置等の複数の取り付け位置を有する。第１の位置及び第２の位置には第１の取り付け孔５０ａ及び第２の取り付け孔５０ｂがそれぞれ設けられる。一例として取り付け孔は矩形の孔である。接続部材３２は例えば接続部材３２の第１の部分３２ａが第１の孔５０ａに挿入されて第１のポストの第１の位置に取り付けられるように配置される。他方、取り付け部材３６の第１の取り付け部３６ａ及び第２の取り付け部３６ｂは第２の取り付け孔５０ｂに挿入される。なお、締結部材４２がロック位置にある場合、締結部材４２の締結部４２Ａは取り付け部材３６に隣接して第１のポスト５０にロックされ、それによりブラケット装置２２が第１のポスト５０に確実に取り付けられるのを確かなものにする。反対に、締結部材４２が非ロック位置にある場合、締結部材４２の締結部４２ａは取り付け部材３６から離れているため、第１のポスト５０にロックされていない。
【００３３】
図５及び図６を参照して、第１のポスト５０の第１の取り付け孔５０ａ及び第２の取り付け孔５０ｂは実質的に同じ第１の直径Ｄ１を有する。第１の取り付け孔５０ａの第１の直径Ｄ１は接続部材３２の第１の部分３２ａよりも大きく、第２の取り付け孔５０ｂの第１の直径Ｄ１は取り付け部材３６の第２の取り付け部３６ｂよりも大きい。これにより、接続部材３２が第１の取り付け孔５０ａと位置が対応し、取り付け部材３６の第１の取り付け部３６ａ及び第２の取り付け部３６ｂが第２の取り付け孔５０ｂに挿入された場合にブラケット装置２２の接続部材３２の第１の部分３２ａを第１のポスト５０の第１の取り付け孔５０ａに挿入させることができる。
【００３４】
第１の規格の第１のネジ要素５２は、ブラケット２８を第１のポスト５０にロックするために接続部材３２のネジ部４４にネジ接続することができる。第１のネジ要素５２は頭部５２ａと、頭部５２ａに接続される本体部５２ｂとを含むことが好ましい。頭部５２ａは第１の取り付け孔５０ａの第１の直径Ｄ１よりもサイズが大きい。本体部５２ｂは接続部材３２のネジ部４４に対応してネジ接続可能なネジ部を有する。
【００３５】
図７及び図８を参照して、ブラケット装置２２はスライドレールアセンブリ２０を第２のポスト５４にも取り付けることができる。第２のポスト５４は垂直に配置された第１の位置及び第２の位置等の複数の取り付け位置を有し、第１の位置及び第２の位置には第１の取り付け孔５４ａ及び第２の取り付け孔５４ｂがそれぞれ設けられる。第２のポスト５４の第１の取り付け孔５４ａ及び第２の取り付け孔５４ｂは実質的に同じ直径Ｄ２を有する。直径Ｄ２は第１のポスト５０の第１の直径Ｄ１よりも小さい。第１の取り付け孔５４ａの第２の直径Ｄ２は接続部材３２の第１の部分３２ａよりも小さく、第２の取り付け孔５４ｂの第２の直径Ｄ２は取り付け部材３６の第２の取り付け部３６ｂよりも小さい。したがって、ブラケット装置２２の接続部材３２が第２のポスト５４の第１の取り付け孔５４ａと位置が対応した場合、接続部材３２の第１の部分３２ａを第１の取り付け孔５４ａを取り囲む第２のポスト５４の壁部に押し付けることができ、その結果接続部材３２全体が第１の空間Ｓ１内に引っ込められる。他方、取り付け部材３６の第２の取り付け部３６ｂは第２の取り付け孔５４ｂを取り囲む第２のポスト５４に押し付けられて第２の空間Ｓ２内に引っ込められる。第２の取り付け孔５４ｂの第２の直径Ｄ２は取り付け部材３６の第１の取り付け部３６ａよりも依然大きいため、第１の取り付け部３６Ａは第１のポスト５０の場合と同様に第２の取り付け孔５４ｂ内に挿入される。第１の弾性部材３４及び第２の弾性部材４８のそれぞれは図７及び図８に示す状態にある間所定量の弾性力を蓄積する。
【００３６】
第２の規格の第２のネジ要素５６は、ブラケット２８を第２のポスト５４にロックするために接続部材３２のネジ部４４にネジ接続できる。第２のネジ要素５６は頭部５６ａと、頭部５６ａに接続される本体部５６ｂとを有することが好ましい。頭部５６Ａは第１の取り付け孔５４Ａの第２の直径Ｄ２よりもサイズが大きい。本体部５６ｂは第１のネジ要素５２の本体部５２ｂよりも長さが大きく、接続部材３２のネジ部４４に対応するとともにブラケット２８を第２のポスト５４にロックするためにネジ部４４及びベース３０の補助ネジ部４６にネジ接続可能なネジ部を有する。  上記から前述したブラケット装置２２は好ましくは下記の特徴を有する。
【００３７】
１）スライドレールブラケットと共に用いられる従来のナットに比べて、本願で開示の接続部材３２は、第１の部分３２ａと、第２の部分３２ｂと、第１の部分３２ａ及び第２の部分３２ｂに亘って延びる貫通孔３２ｃとを含む簡素な構造を有する。貫通孔３２ｃが第１の部分３２ａ及び第２の部分３２ｂを貫通しているため、接続部材３２は第１のネジ要素５２と共に有することができるだけでなく、第１のネジ要素５２よりも長い第２のネジ要素５６を貫通孔３２ｃを貫通させてベース３０に接続させることもできる。
【００３８】
２）ブラケット装置２２の接続部材３２の第１の部分３２Ａ及び第２の部分３２ｂは貫通孔３２ｃにより貫通し、第１の部分３２Ａ及び／又は第２の部分３２ｂには貫通孔３２ｃの壁部にネジ部４４が設けられているため、ネジ部４４を第１のネジ要素５２又は（第１のネジ要素５２よりも長い）第２のネジ要素５６のいずれかに接続させることができる。後者の場合、第２のネジ要素５６は貫通孔３２ｃを通過した後にベース３０の補助ネジ部４６にさらに接続することができる。
【００３９】
３）接続部材３２を第１の空間Ｓ１から突出させるか又は引っ込めることができ、ブラケット装置２２を異なるポストに適合させることができる。
【００４０】
好ましい実施形態を通じて本発明を上記で説明してきたが、これらの実施形態は本発明の範囲を限定することを意図したものではないことを理解すべきである。出願人が求める特許保護の範囲は添付の特許請求の範囲で定義されている。
【符号の説明】
【００４１】
２０  スライドレールアセンブリ
２２  第１のブラケット装置
２４  第２のブラケット装置
２６  接続要素
２８  ブラケット
３０  ベース
３２  接続部材
３４  第１の弾性部材
３６  取り付け部材
３８  長手壁
４０  端壁
４２  締結部材
４４  ネジ部
４６  補助ネジ部
４８  第２の弾性部材
５０  第１のポスト
５２  第１のネジ要素
５４  第２のポスト
５６  第２のネジ要素
【図１】
2020093073.tif 000003
【図２】
2020093073.tif 000004
【図３】
2020093073.tif 000005
【図４】
2020093073.tif 000006
【図５】
2020093073.tif 000007
【図６】
2020093073.tif 000008
【図７】
2020093073.tif 000009
【図８】
2020093073.tif 000010